(57)【要約】【課題】レジ袋を保持した状態において、レジ袋の取っ手部分の開口部が開いた状態で露出しゴミが通り抜けることがないようにしたレジ袋保持装置を提供すること。また、容易かつ確実にレジ袋を保持できるようにしたレジ袋保持装置を提供すること。【解決手段】２本の管状の横桟が互いに平行に相対向して配置され、該２本の横桟間に形成された開口部より内部にレジ袋を収納する本体部と、少なくとも一方の前記横桟と平行に配されると共に、該横桟に対してその周囲に回動自在に取り付けられ、収納されたレジ袋の持ち手を引っ掛ける引掛部を備えるようにした。【選択図】  図１
2010275071.tif 000002
【特許請求の範囲】
【請求項１】
２本の管状の横桟が互いに平行に相対向して配置され、該２本の横桟間に形成された開口部より内部にレジ袋を収納する本体部と、
少なくとも一方の前記横桟と平行に配されると共に、該横桟に対してその周囲に回動自在に取り付けられ、収納されたレジ袋の持ち手を引っ掛ける引掛部を備えたことを特徴とするレジ袋保持装置。
【請求項２】
本体部は、２本の脚材がＸ形状に交差軸着されて開閉自在となされた脚部が、相対向して一対設けられるとともに、該一対の脚部の各脚材の上端部間に横桟が架設されるようにしたことを特徴とする請求項１記載のレジ袋保持装置。
【発明の詳細な説明】
【技術分野】
【０００１】
本発明は、レジ袋を開口した状態に保持してゴミを投入しやすい簡易のゴミ箱とするためのレジ袋保持装置に関するものである。
【背景技術】
【０００２】
従来から、スーパーマーケットやコンビニエンスストアなどで商品を入れてもらう所謂レジ袋を、上方に開口させた状態で保持し、ゴミ箱として利用できるようにした様々なレジ袋保持装置が提案されている。これらの多くは、容易にレジ袋等を保持させることができるものであり、簡易なゴミ箱として有用である。
【０００３】
このようなレジ袋保持装置として、例えば、中央部を枢着してＸ字型に組み立てた左右一対の方形状枠体の上縁にレジ袋の吊り下げ用山形状あるいはコの字状の突部を設けたものがある（特許文献１および２）。
【０００４】
これら従来のレジ袋保持装置によれば、レジ袋の取っ手部分を前記突部に引っ掛けるだけで、容易にレジ袋を開口した状態に保持でき、簡易のゴミ箱とすることができる。
【先行技術文献】
【特許文献】
【０００５】
【特許文献１】実開昭６１−１０７７０８号公報
【特許文献２】特開２００１−６５７８７号公報
【発明の概要】
【発明が解決しようとする課題】
【０００６】
しかしながら、上記従来のレジ袋保持装置においては、レジ袋が保持された状態において、レジ袋の取っ手部分の開口部が大きく口を開けた状態となっており、レジ袋に投入しようとしたゴミが、当該開口部を通り抜けて床面におちてしまう恐れが多分にあった。
また、前記突部にレジ袋を引っ掛けるだけなので、レジ袋がレジ袋保持装置から容易に脱落してしまう恐れがあった。
【０００７】
本発明は、上記の問題点を克服するためになされたものであり、レジ袋を保持した状態において、レジ袋の取っ手部分の開口部が開いた状態で露出しゴミが通り抜けることがないようにしたレジ袋保持装置を提供することを目的とする。
また、本発明は、容易かつ確実にレジ袋を保持できるようにしたレジ袋保持装置を提供することを目的とする。
【課題を解決するための手段】
【０００８】
上記の課題を解決するため、本発明に係るレジ袋保持装置は、２本の管状の横桟が互いに平行に相対向して配置され、該２本の横桟間に形成された開口部より内部にレジ袋を収納する本体部と、少なくとも一方の前記横桟と平行に配されると共に、該横桟に対してその周囲に回動自在に取り付けられ、収納されたレジ袋の持ち手を引っ掛ける引掛部を備えたことを特徴とする。
ここで、本発明に係るレジ袋保持装置に利用するレジ袋は、持ち手を備えている袋状のものであれば、どのような袋体でも好適に使用できる。
【０００９】
本発明に係るレジ袋保持装置によれば、２本の横桟間に形成された開口部から内部にレジ袋を挿入し、管状の引掛部にレジ袋の持ち手を引っ掛けた状態で、当該引掛部を横桟の周囲を回動させることで、レジ袋の持ち手部分が横桟に巻き付けられる。これにより、レジ袋を保持した状態において、レジ袋の取っ手部分の開口部が開いた状態で露出することがなくなり、したがって、ゴミを投入するときにゴミが前記開口部を通り抜けることがない。
【００１０】
また、レジ袋の持ち手を引掛部に引っ掛けて、当該引掛部を回動させるだけで容易にレジ袋を保持させることができ、さらに、そのときレジ袋の持ち手は横桟に巻き付けられるようにして保持されるので、容易に脱落することがない。
【発明の効果】
【００１１】
以上のとおり、本発明に係るレジ袋保持装置によれば、２本の横桟間に形成された開口部から内部にレジ袋を挿入し、管状の引掛部にレジ袋の持ち手を引っ掛けた状態で、当該引掛部を横桟の周囲を回動させることで、レジ袋の持ち手部分が横桟に巻き付けられる。これにより、レジ袋を保持した状態において、レジ袋の取っ手部分の開口部が開いた状態で露出することがなくなり、したがって、ゴミを投入するときにゴミが前記開口部を通り抜けることがない。
また、レジ袋の持ち手を引掛部に引っ掛けて、当該引掛部を回動させるだけで容易かつ確実にレジ袋を保持させることができる。
【図面の簡単な説明】
【００１２】
【図１】本発明に係るレジ袋保持装置の一実施形態を示す斜視図である。
【図２】本発明に係るレジ袋保持装置の一実施形態を示す正面図である。
【図３】本発明に係るレジ袋保持装置の一実施形態を示す側面図である。
【図４】本発明に係るレジ袋保持装置の一実施形態を示す平面図である。
【図５】図２におけるＡ−Ａ線間の部分断面図である。
【図６】図３のレジ袋保持装置の引掛部にレジ袋の持ち手を引っ掛けた状態を示す図である。
【図７】図６のレジ袋保持装置の引掛部を横桟に対して９０度回動させた状態を示す図である。
【図８】図６のレジ袋保持装置の引掛部を横桟に対して１８０度回動させた状態を示す図である。
【図９】本発明に係るレジ袋保持装置の一実施形態において、引掛部の動作およびレジ袋の動きを説明するための簡略説明図（引掛部を横桟の上方に位置させた状態を示す図）である。
【図１０】図９のレジ袋保持装置の引掛部にレジ袋を引っ掛けた状態を示す簡略説明図である。
【図１１】図１０の引掛部を横桟に対して１８０度回動させた状態を示す簡略説明図である。
【発明を実施するための形態】
【００１３】
以下、本発明を実施するための形態を、図面に基づいて詳細に説明する。
【００１４】
図１は、本発明に係るレジ袋保持装置の一実施形態を示している。この実施形態におけるレジ袋保持装置１は、本体部２と引掛部３とを備えている。本体部２は、２本の脚材２１１および２１２が枢軸部２９でＸ字形状に交差軸着されて互いに回動自在（開閉自在）となされた脚部２１が、左右に相対向して一対もうけられ、この一対の脚部２１の各脚材２１１、２１２の相対向する上端部間に横桟２２が架設され、さらに、この一対の脚部２１の各脚材２１１、２１２の相対向する下端部間に下横桟２３が架設されて形成されている。当該横桟２２と各脚材２１１、２１２とは、それぞれジョイント部材２５で接続され、また、下横桟２３と各脚材２１１、２１２とは、それぞれジョイント部材２６で接続されている。尚、この実施形態においては、枢軸部２９において、脚材２１１と脚材２１２とは軸支ピンにより互いに回動自在に軸着されている。
【００１５】
また、２本の横桟２２には、それぞれ３の字状のジョイント４を介して引掛部３が取り付けられている。ジョイント４は、合成樹脂材料により作製され、図５に示すように、横桟２２と引掛部３を把持して、かつ横桟２２に対して回動可能に取り付けられている。これにより、引掛部３は、横桟２２と平行に配されると共に、横桟２２に対してその周囲を回動自在となされている。
【００１６】
図１乃至図４に示されるように、２本の下横桟２３同士は、可撓性のあるバンド５で接続されており、これによって、レジ袋保持装置１が開き過ぎないようにストッパーの役割を果たしている。また、下横桟２３の両端部には、レジ袋保持装置１を安定的に立たせて、かつ床面に対して滑らないようにゴム製のキャップ２３３が取り付けられている。
【００１７】
このようにして形成したレジ袋保持装置１にレジ袋Ｆを保持させて簡易のゴミ箱とするのであるが、レジ袋Ｆは、スーパーマーケットやコンビニエンスストアなどで商品を入れる所謂レジ袋に限られず、利用者が手に提げるための開口部を備えた持ち手があるものであれば、どのような袋体も好適にしようできる。
【００１８】
以下、レジ袋保持装置１にレジ袋Ｆを保持させる手順にそって、更に説明する。図２は、引掛部３が横桟２２の上方に位置するようにした図であり、この状態でレジ袋Ｆを本体部２の上方から本体部２内に挿入し、２つの持ち手Ｆ３が横桟２２を跨ぐようにして、持ち手Ｆ３を引掛部３に引っ掛ける（図６）。
【００１９】
図９および図１０は、それぞれ図２および図６に対応する図であり、図面を簡略化して、引掛部３の動作およびレジ袋の取り付け状態を説明するための図である。図６におけるレジ袋Ｆの取り付け状態は、図１０に示すように持ち手Ｆ３の部分が、引掛部３と横桟２２との間の隙間に配され、２つの３の字状のジョイント４に引っ掛かるようにして係止されている。このとき、引掛部３の両端がジョイント４よりも張り出していることで、レジ袋Ｆの脱落が防止される。
【００２０】
ただし、この状態では、レジ袋Ｆの持ち手Ｆ３の開口部Ｐが大きく露出しており、ゴミを投入しようとしたときに、ゴミが当該開口部Ｐを通り抜けてしまう可能性がある。
【００２１】
そこで、次に図７に示すように、引掛部３を、２つの引掛部３が互いに遠ざかる方へ回動させ、図８の状態（引掛部３が横桟２２の下方に位置する状態）にする。これにより、レジ袋Ｆの持ち手Ｆ３が横桟２２に巻き付けられるようになり、よりしっかりとレジ袋Ｆがレジ袋保持装置１に保持されるようになる。このとき、図８に対応する簡略説明図である図１１に示すとおり、レジ袋Ｆの持ち手Ｆ３の開口部Ｐは、あまり露出せず、レジ袋が大きく開口した状態で保持されている。それゆえ、ゴミの投入が容易となる。
このようにしてレジ袋Ｆをレジ袋保持装置１に保持させ、かつ横桟２２を互いに遠ざかる方向に開いて、床面に立て、簡易なゴミ箱として使用する。
【００２２】
以上のとおり、本発明に係るレジ袋保持装置の一実施形態を説明したが、本発明は、必ずしもこの実施形態に限定されるものではない。本体部の横桟以外は管状でないもので形成されてもよい。例えば、角型の枠材を用いるようにしてもよいし、上方に向け開口したボックス形状のものとしてもよく、その材料も金属、合成樹脂、木材等、任意の材料を適宜選択して使用可能である。
【符号の説明】
【００２３】
１    レジ袋保持装置
２    本体部
２１  脚部
２２  横桟
３    引掛部
４    ジョイント
Ｆ    レジ袋
【図１】
2010275071.tif 000003
【図２】
2010275071.tif 000004
【図３】
2010275071.tif 000005
【図４】
2010275071.tif 000006
【図５】
2010275071.tif 000007
【図６】
2010275071.tif 000008
【図７】
2010275071.tif 000009
【図８】
2010275071.tif 000010
【図９】
2010275071.tif 000011
【図１０】
2010275071.tif 000012
【図１１】
2010275071.tif 000013